(57)【特許請求の範囲】
【請求項１】
動力により動作される動作かんを用いて分岐器のトングレールを定位又は反位に転換させる転換装置と、前記トングレールに連結された接続かんに接続され、前記トングレールの定位方向又は反位方向の移動と連動して定位又は反位に移動される主鎖錠かん及び副鎖錠かん、前記動作かんの定位方向移動又は反位方向移動と連動してそれぞれ定位側位置又は反位側位置に移動されて前記主鎖錠かんに設けてある切欠又は副鎖錠かんに設けてある切欠に嵌合してそれぞれの鎖錠かんをその定位側位置又は反位側位置にロックする２個のロックピース、及び各鎖錠かんの定位側位置又は反位側位置を調整するための二つの調整機構を備えている鎖錠装置とを有する電気転てつ機において、
前記鎖錠装置は、
前記主鎖錠かんと前記副鎖錠かんを保持器に接続かんの移動方向と平行な方向に摺動自在に保持し、
前記主鎖錠かん及び副鎖錠かんの前記保持器の両外側に延出する部分に同一形状の第１棒状部材を設け、
前記二つの調整機構を、いずれも、前記第１棒状部材と平行な方向に延びる第２棒状部材と、前記主鎖錠かん及び副鎖錠かんの一方側の前記第１棒状部材と、前記第２棒状部材に保持され、前記第１棒状部材の端部と前記第２棒状部材の端部とを対向させた状態でそれら両棒状部材の材軸方向における相対的位置関係を調整する調整部材とで構成し、
中間部において前記接続かんが連結される第一の連結部材の両端部においてそれぞれ前記調整機構を分離可能に接続し、
前記主鎖錠かん及び副鎖錠かんの他方側の前記第１棒状部材を第二の連結部材の両端部に前記他方側の第１棒状部材の材軸方向に移動可能に貫通するとともに、前記他方側の第１棒状部材の前記第二の連結部材に対する材軸方向における相対的位置関係を調整する調整部材を分離可能に備えてなる、
ことを特徴とする電気転てつ機。
【請求項２】
動力により動作される動作かんを用いて分岐器のトングレールを定位又は反位に転換させる転換装置と、前記トングレールに連結された接続かんに接続され、前記トングレールの定位方向又は反位方向の移動と連動して定位又は反位に移動される主鎖錠かん及び副鎖錠かん、前記動作かんの定位方向移動又は反位方向移動と連動してそれぞれ定位側位置又は反位側位置に移動されて前記主鎖錠かんに設けてある切欠又は副鎖錠かんに設けてある切欠に嵌合してそれぞれの鎖錠かんをその定位側位置又は反位側位置にロックする２個のロックピース、及び各鎖錠かんの定位側位置又は反位側位置を調整するための二つの調整機構を備えている鎖錠装置とを有する電気転てつ機において、
前記鎖錠装置は、
前記主鎖錠かんと前記副鎖錠かんを保持器に接続かんの移動方向と平行な方向に摺動自在に保持し、
前記主鎖錠かん及び副鎖錠かんの前記保持器の両外側に延出する部分に同一ピッチの雄ねじを設け、
前記二つの調整機構を、いずれも、外周と内周に雄ねじと雌ねじを有する調整ナットと、その調整ナットの前記雌ねじに螺合される前記主鎖錠かん及び副鎖錠かんの一方側の雄ねじと、前記調整ナットの雄ねじと前記一方側の雄ねじとに螺合される固定ナットとから構成し、
中間部において前記接続かんが連結される第一の連結部材の両端部において前記調整ナットの雄ねじを螺合するとともに、前記第一の連結部材の両側において前記調整ナットの雄ねじと前記一方側の雄ねじとに固定ナットを螺合し、
前記主鎖錠かん及び副鎖錠かんの他方側の雄ねじを第二の連結部材の両端部に前記主鎖錠かん及び副鎖錠かんの材軸方向に移動可能に貫通するとともに、その雄ねじに前記第二の連結部材の両側において固定ナットを螺合してなる、
ことを特徴とする電気転てつ機。
【発明の詳細な説明】
【技術分野】
【０００１】
本発明は、電気転てつ機、特に右据付と左据付を容易に換えることができるようにした鎖錠装置を備えたものに関する。
【背景技術】
【０００２】
図３は分岐器と電気転てつ機（以下、転てつ機という。)の外観を示す斜視図、図４は転てつ機の一部である動力部の透視平面図、図５は転てつ機の主要構成部品を示す斜視図である。
転てつ機Ｓは、図３及び図５に示すように、分岐器Ｐのトングレール１を転換して基本レール２に密着させる転換装置Ｃと、密着状態のトングレール１をその位置に保持する鎖錠装置Ｌとからなっている。トングレール１が保持される位置には、分岐器Ｐが常時開放する方向に保持される定位と、その反対方向に保持される反位とがある。
【０００３】
転換装置Ｃは、図４及び図５に示すように、モータ３により回転される転換歯車４に設けられた転換ローラ５を動作かん６のカム７に嵌合させていて、そのモータ３の回転によりその動作かん６を材軸と平行な方向に移動させることにより、トングレール１を転換する。
【０００４】
そして、鎖錠装置Ｌは、トングレール１の定位と反位に対応する主鎖錠かん８ａと副鎖錠かん８ｂ及びロックピースと９ａ，９ｂを有し、転換装置Ｃの動作かん６がトングレール１を移動させると、そのトングレール１にフロントロッド１０及び接続かん１１（図３，４，５参照）を介して連結されている前記鎖錠かん８（８ａ，８ｂ）がその材軸方向のトングレールの定位と反位に対応する位置に移動される。ロックピース９ａ，９ｂはトングレールの定位と反位に対応して設けられた２個のカムバーにそれぞれ設けられ、動作かん６の材軸方向の移動に伴い各カムバーと転換ローラ５を介してトングレールの定位と反位に対応する位置に移動される。そのとき、各鎖錠かん（８ａ，８ｂ）に設けてある切り欠きが各ロックピース９ａ，９ｂに対向する位置にある時は、そのロックピースがその切り欠きに進入して鎖錠かんをその位置にロックするようになっている。すなわち、鎖錠装置のロックピース９ａ，９ｂは、トングレールが定位又は反位に移動されたことを確認して、換言すると、分岐器の開通方向を検知して、それぞれの状態で鎖錠かん８ａ，８ｂを鎖錠する。
【０００５】
従って、トングレール１の基本レール２に対する密着状態を確保するためには、鎖錠かん８ａ，８ｂの各ロックピース９ａ，９ｂに対する位置関係を調整する必要がある。この調整のために、接続かん１１と各鎖錠かん８ａ，８ｂとの間に鎖錠かんの長手方向位置を調整する調整機構が備えられている。
【０００６】
図６は、従来の鎖錠装置の要部を示す正面図である。従来の鎖錠装置は、図６に例示するように、トングレールの定位転換を検知し、これを保持するための主鎖錠かん８ａ及びその調整機構Ａ１と、トングレールの反位転換を検知し、これを保持するための副鎖錠かん８ｂ及びその調整機構Ａ２とは、接続かん１１に対して直列に接続されていた。このような鎖錠装置は、例えば非特許文献１に記載されている。
【非特許文献１】鉄道技術者のための電気概論  信号シリーズ４  転てつ装置      ４０〜４７頁  財団法人  日本鉄道電気技術協会  平成17年６月２８日発行
【発明の開示】
【発明が解決しようとする課題】
【０００７】
上記のように、従来の鎖錠装置は、それぞれ調整機構を有する主鎖錠かんと副鎖錠かんが直列に接続されていたので、次のような問題があった。
図７は、転てつ機Ｓを分岐器Ｐに対して据付ける場合の配置関係の２例を示す分岐器周辺の平面図である。同図の（Ａ）と（Ｂ）に示すように、転てつ機Ｓを分岐器Ｐの右側に設置する右据付の場合と、左側に設置する左据付の場合では、図８の（Ａ）と（Ｂ）に示すように、鎖錠かん全体を反転する必要があるが、この鎖錠かんの反転作業は、鎖錠かんが重いので困難である。
【０００８】
図９は通常の転てつ機の転てつ機本体内に設けてある保持器１２に対する鎖錠かん８の支持構造を示す。図９の場合は、鎖錠かん８を保持器１２から外側に引き抜くことが可能である。しかし、図１０に示すように、鎖錠かん８の両側部分が丸棒８´に形成されている耐水構造の場合は、鎖錠かん８を保持器１２に対して左右逆にするためには、分解作業が必要であるため、製作会社でないと実施が不可能である。
【０００９】
最近は、図１１に例示するように、鎖錠かん８の保持器内側の部分にストローク検知器の動作用部材１３が突設されているため、耐水型以外の転てつ機でも、基本的には製作会社でないと、分解・再組立作業の実施が不可能である。
【００１０】
上記のように、従来は、それぞれ調整機構を有する主鎖錠かんと副鎖錠かんが直列接続されていたので、主鎖錠かん(親)を調整すると、副鎖錠かん（子）も移動するため、親を先に調整した後、子の調整を行わなければならず、調整の順番が決められている。そして、親の調整が必要になると、子はその必要がなくても、再調整をしなければならない。
【００１１】
本発明は、上記の問題を解消するためになされたものであり、その課題は、鎖錠かん全体の反転を必要とせずに右据付から左据付に又はその逆に換えることが容易にでき、かつ、親と子の調整をそれぞれ独立して行うことができる鎖錠装置を備えた電気転てつ機を提供することを目的とする。
【課題を解決するための手段】
【００１２】
上記課題を解決するため、本発明は、動力により動作される動作かんを用いて分岐器のトングレールを定位又は反位に転換させる転換装置と、前記トングレールに連結された接続かんに接続され、前記トングレールの定位又は反位方向の移動と連動して定位又は反位に移動される主鎖錠かん及び副鎖錠かん、前記動作かんの定位方向移動又は反位方向移動と連動してそれぞれ定位側位置又は反位側位置に移動されて前記主鎖錠かんに設けてある切欠又は副鎖錠かんに設けてある切欠に嵌合してそれぞれの鎖錠かんをその定位側位置又は反位側位置にロックする２個のロックピース、及び各鎖錠かんの定位側位置又は反位側位置を調整するための二つの調整機構を備えている鎖錠装置とを有する電気転てつ機において、前記主鎖錠かんと前記副鎖錠かんを保持器に接続かんの移動方向と平行な方向に摺動自在に保持し、前記主鎖錠かん及び副鎖錠かんの前記保持器の両外側に延出する部分に同一形状の第１棒状部材を設け、前記二つの調整機構を、いずれも、前記第１棒状部材と平行な方向に延びる第２棒状部材と、前記主鎖錠かん及び副鎖錠かんの一方側の前記第１棒状部材と、前記第２棒状部材に保持され、前記第１棒状部材の端部と前記第２棒状部材の端部とを対向させた状態でそれら両棒状部材の材軸方向における相対的位置関係を調整する調整部材とで構成し、中間部において前記接続かんが連結される第一の連結部材の両端部においてそれぞれ前記調整機構を分離可能に接続し、前記主鎖錠かん及び副鎖錠かんの他方側の前記第１棒状部材を第二の連結部材の両端部に前記他方側の第１棒状部材の材軸方向に移動可能に貫通するとともに、前記他方側の第１棒状部材の前記第二の連結部材に対する材軸方向における相対的位置関係を調整する調整部材を分離可能に備えて、前記鎖錠装置を構成したことを特徴としている（請求項１）。
【００１３】
また、本発明は、前記主鎖錠かんと前記副鎖錠かんを保持器に接続かんの移動方向と平行な方向に摺動自在に保持し、前記主鎖錠かん及び副鎖錠かんの前記保持器の両外側に延出する部分に同一ピッチの雄ねじを設け、前記二つの調整機構を、いずれも、外周と内周に雄ねじと雌ねじを有する調整ナットと、その調整ナットの前記雌ねじに螺合される前記主鎖錠かん及び副鎖錠かんの一方側の雄ねじと、前記調整ナットの雄ねじと前記一方側の雄ねじとに螺合される固定ナットとから構成し、中間部において前記接続かんが連結される第一の連結部材の両端部において前記調整ナットの雄ねじを螺合するとともに、前記第一の連結部材の両側において前記調整ナットの雄ねじと前記一方側の雄ねじとに固定ナットを螺合し、前記主鎖錠かん及び副鎖錠かんの他方側の雄ねじを第二の連結部材の両端部に前記主鎖錠かん及び副鎖錠かんの材軸方向に移動可能に貫通するとともに、その雄ねじに前記第二の連結部材の両側において固定ナットを螺合して、前記鎖錠装置を構成したことを特徴としている（請求項２）。
【発明の効果】
【００１４】
本発明によれば、主鎖錠かん及び副鎖錠かんは転てつ機本体に接続かんの移動方向と平行な方向に摺動自在に保持され、それぞれその長手方向両端部が同一構造に形成されており、主鎖錠かん及び副鎖錠かんの一端部は連結部に備えられた調整機構の一部を構成し、主鎖錠かん及び副鎖錠かんの他端部は固定部により連結され固定されているので、右据付から左据付に又はその逆に換える場合は、主鎖錠かん及び副鎖錠かんの全体を反転する必要なしに、そのまま据付位置を換え、主鎖錠かん及び副鎖錠かんの両端部の結合相手を調整機構と固定部のいずれかに換えるだけで済む。従って、据付位置が左右いずれであっても、鎖錠装置の構成部品の組立位置が同じであり、据付位置の変更も容易である。
また、主鎖錠かん及び副鎖錠かんの調整機構はそれぞれ独立して調整可能であり、固定部は主鎖錠かん及び副鎖錠かんをそれぞれ前記調整機構により独立して位置調整をした後に固定するものであるので、主鎖錠かん又は副鎖錠かんもしくはその双方を、互いに他に影響を及ぼすことなく、鎖錠かんの位置調整を能率的に行うことができる。
【００１５】
また、本発明は、周知の構造を有する調整機構及び固定部を用いて実施することができる。
【発明を実施するための最良の形態】
【００１６】
次に、本発明の実施の形態を図１及び図２に基づいて説明する。
図１は本発明による転てつ機の鎖錠装置の要部を示す概略正面図、図２は図１の主として連結部、調整機構及び固定部の実施例を示す断面図である。
【００１７】
図１において、１１は接続かんであり、その端部は第一の連結部材１０１の中間部に結合されている。第一の連結部材１０１は一例として角棒状部材で構成されている。第一の連結部材１０１の両端部には、接続かん１１と反対側に調整機構Ａ１、Ａ２が設けられている。
【００１８】
そして、各調整機構Ａ１、Ａ２には主鎖錠かん８ａと副鎖錠かん８ｂのそれぞれの接続かん１１側の端部が結合されている。調整機構Ａ１、Ａ２は、いずれもそれぞれ独立して、既知のねじ対偶又は摩擦対偶により鎖錠かん８ａ，８ｂの切欠ｎ１，ｎ２のロックピース（図示省略）に対する接続かん１１の移動方向（図１においては左右方向）と平行な方向における位置を調整するものである。
【００１９】
鎖錠かん８ａ，８ｂは、従来と同様に、保持器１２に接続かん１１の移動方向と平行な方向に摺動自在に保持されている。また、鎖錠かん８ａ，８ｂの接続かん１１と反対側の端部は、第二の連結部材１０２の両端部に結合されている。第二の連結部材１０２は、調整機構Ａ１、Ａ２によりそれぞれ独立して位置調整された鎖錠かん８ａ，８ｂを連結して固定するものである。第二の連結部材１０２は、両端部において鎖錠かん８ａ，８ｂの端部をその材軸方向に遊びを持って貫通させる角棒状部材で構成されている。そして、第二の連結部材１０２の両側に鎖錠かん８ａ，８ｂの端部を固定する固定ナット１０２ｂ，１０２ｃが備えられている。
【００２０】
上記構成において重要な構成は、鎖錠かん８ａ，８ｂの両端部が調整機構Ａ１，Ａ２の一部を構成するように同一の構造を有していて、鎖錠かん８ａ，８ｂのいずれの端部も調整機構Ａ１，Ａ２又は第二の連結部材１０２に結合することができることである。
【００２１】
上記調整機構Ａ１，Ａ２は同一の構成を有する。そこで、図２に基づいて代表的に一方側の調整機構Ａ１の具体的構成の一例を説明する。
鎖錠かん８ａは保持器１２の両外側に延出する部分に同一ピッチの雄ねじ８１，８１、例えば右雄ねじを有する。この同一ピッチの雄ねじ８１，８１は、請求項１の「同一形状の第１棒状部材」に相当する。
調整機構Ａ１は、第一の連結部材１０１の端部に形成された左ねじを有する雌ねじ１０１ａに筒状の調整ナット１０３の外周に形成された左ねじを有する雄ねじ１０３ａを螺合し、その調整ナット１０３の内周に形成された右ねじを有する雌ねじ１０３ｂに鎖錠かん８ａの一方の雄ねじ８１を貫通するように螺合し、雄ねじ８１の調整ナット１０３と保持器１２の間の部分と、調整ナットの雄ねじ１０３ａの第一の連結部材１０１から保持器１２と反対側に延出している部分とに、それぞれ固定ナット１０４ａ，１０４ｂを螺合し、両固定ナットを調整ナット１０３と第一の連結部材１０１に締め付けて構成されている。
上記筒状の調整ナット１０３は、請求項1の「第２棒状部材」に相当し、固定ナット１０４ａ，１０４ｂは請求項1の「第１棒状部材の端部と第２棒状部材の端部とを対向させた状態でそれら両棒状部材の材軸方向における相対的位置関係を調整する調整部材」に相当する。
【００２２】
第二の連結部材１０２は、鎖錠かん８ａの端部をその材軸方向に遊びを持って貫通させる角棒状の部材で構成されている。そして、その第二の連結部材の両側において鎖錠かん８ａに固定ナット１０２ｂ，１０２ｃを螺合することにより、第二の連結部材１０２が挟持されて固定されるようになっている。固定ナット１０２ｂ，１０２ｃを緩めて第二の連結部材１０２から離間すると、その第二の連結部材に対して鎖錠かん８ａを材軸方向に移動することができ、その位置で止めた第二の連結部材を固定ナット１０２ｂ，１０２ｃを締めて挟持し、再び固定することができる。固定ナット１０２ｂ，１０２ｃは、請求項１の「他方側の第１棒状部材の第二の連結部材に対する材軸方向における相対的位置関係を調整する調整部材」に相当する。
【００２３】
上記構成により、固定部１０２の固定ナット１０２ｂ，１０２ｃと調整機構Ａ１の固定ナット１０４ａ，１０４ｂを緩めた状態で、調整ナット１０３を所定方向に回転すると、鎖錠かん８ａが図２において右方向又は左方向に移動され、調整ナット１０３を反対方向に回転すると、鎖錠かん８ａが反対方向に移動される。この調整機構Ａ１の調整ナット１０３のみを回転して鎖錠かん８ａの位置を調整するときは、他の鎖錠かん（８ｂ）の位置は変更されない。従って、位置調整が必要な鎖錠かんに対応する固定ナット１０２ｂ，１０２ｃ；１０４ａ，１０４ｂ及び調整ナット１０３のみを操作すればよい。
【００２４】
そして、図１及び図２の左据付の場合の部品結合態様を右据付に換える場合は、保持器１２とこれに対する鎖錠かん８ａ，８ｂの取付状態は変えることなく、鎖錠かん８ａ，８ｂの両側の調整機構Ａ１，Ａ２及び固定部１０２を分離し、保持器１２と鎖錠かん８ａ，８ｂを同じ向きのまま分岐器の右側に移設又は設置し、鎖錠かん８ａ，８ｂの左側端部に調整機構Ａ１，Ａ２を結合し、同右側端部に固定部１０２を結合するだけでよい。従って、保持器１２を開放してその中の鎖錠かん８ａ，８ｂを左右反転する困難な作業を行う必要がない。
【図面の簡単な説明】
【００２５】
【図１】本発明による転てつ機の鎖錠装置の要部を示す概略正面図。
【図２】主として第一の連結部材、調整機構及び固定部の具体的構造の一例を示す図。
【図３】分岐器と電機転てつ機の外観を示す斜視図。
【図４】転てつ機の一部である動力部の透視平面図
【図５】転てつ機の主要構成部品を示す斜視図。
【図６】従来の鎖錠装置を示す正面図。
【図７】分岐器に対する転てつ機の配置関係の２例を示す分岐器周辺の平面図。
【図８】鎖錠装置の構成要素の右据付の場合と左据付の場合の相違を示す配置図。
【図９】鎖錠かんの保持構造の一例を示す図。
【図１０】鎖錠かんの保持構造の他の例を示す図。
【図１１】鎖錠かんの保持構造のさらに他の例を示す図。
【符号の説明】
【００２６】
Ｐ          分岐器
Ｓ          転てつ機
Ｃ          転換装置
Ｌ          鎖錠装置
８ａ        主鎖錠かん
８ｂ        副鎖錠かん
８１        雄ねじ(第１棒状部材)
１１        接続かん
１２        保持器
１０１      第一の連結部材
Ａ１，Ａ２  調整機構
１０２      第二の連結部材
１０２ｂ，１０２ｃ    固定ナット(調整部材)
１０３      調整ナット(第２棒状部材)
１０４ａ，１０４ｂ    固定ナット(調整部材)
【図１】
0004681478.tif 000002
【図２】
0004681478.tif 000003
【図３】
0004681478.tif 000004
【図４】
0004681478.tif 000005
【図５】
0004681478.tif 000006
【図６】
0004681478.tif 000007
【図７】
0004681478.tif 000008
【図８】
0004681478.tif 000009
【図９】
0004681478.tif 000010
【図１０】
0004681478.tif 000011
【図１１】
0004681478.tif 000012